(57)【特許請求の範囲】
【請求項１】
顧客識別情報が記録された会員カードに対して情報を読み書きし、キャッシャが売上処理を行うためのＰＯＳシステムに接続されるポイントサービスシステムであって、
表示装置と入力装置と前記会員カードに対して情報の読み書きを実行するカードリーダライタとを備える情報提供装置と、
顧客毎にポイントを顧客識別情報に対応付けて記憶するポイントファイルと、
顧客毎の買上実績情報を前記顧客識別情報に対応付けて記憶する会員実績ファイルと、
前記リーダライタによって読み取られた前記会員カードに記録された前記顧客識別番号に基づいて、前記会員実績ファイルから当該顧客識別情報に対応する前記買上実績情報を検索し、検索した前記買上実績情報に基づいて前記特定顧客の売上貢献レベルを決定する売上貢献レベル決定手段と、
前記売上貢献レベル決定手段により決定された前記特定顧客の売上貢献レベルに基づいて前記特定顧客に対する当選確率を決定する当選確率決定手段と、
決定された当選確率に基づいて抽選を実行し、当選か落選かを判断し、当選の場合には落選の場合よりも多いポイント数を来店ポイントとして設定し、前記ポイントファイルに記憶されたポイントに累積加算する手段と、
前記来店ポイントを前記情報提供装置の表示装置に表示する手段と、
を備えることを特徴とするポイントサービスシステム。
【請求項２】
前記売上貢献レベル決定手段は、
前記会員実績ファイルに基づいて顧客毎に設定された売上貢献レベルを前記顧客識別情報に対応付けて記憶する売上貢献レベルファイルと、
前記特定顧客の前記顧客識別情報に基づいて前記売上貢献レベルファイルから前記特定顧客の売上貢献レベルを特定する売上貢献レベル特定手段と、
を備えることを特徴とする請求項１記載のポイントサービスシステム。
【請求項３】
前記当選確率決定手段は、
顧客の売上貢献レベル毎に売上貢献レベルの上昇に伴って高く設定された当選確率を記憶する当選確率ファイルと、
前記売上貢献レベル決定手段により決定された前記特定顧客の売上貢献レベルに基づいて前記当選確率ファイルから前記特定顧客に対する当選確率を特定する当選確率特定手段と、
を備えることを特徴とする請求項１又は２記載のポイントサービスシステム。
【発明の詳細な説明】
【０００１】
【発明の属する技術分野】
本発明は、ポイントサービスシステムに関する。
【０００２】
【従来の技術】
従来のポイントサービスシステムは、商品買上げ毎に買上金額に応じたポイントを算出し、顧客毎に付与するシステムであり、累積ポイントに応じて顧客に特典（例えば割引券や景品引換券等の贈呈）を与えるポイントサービスに利用される。ポイントサービスによれば、顧客の購買意欲を高めるとともに、固定客を掴むための様々な販売促進活動を支援する情報を得ることができる。
【０００３】
ここに、例えば、ＰＯＳ（Point of Sales：販売時点管理）端末をＬＡＮ（Local Area Network）等の回線によりホストコンピュータに接続して構成されたＰＯＳシステムにおいて、ポイントを累積加算するポイントサービスを行う場合、このポイントサービスを受けている証拠として、会員カード（あるいは、ポイントカード）を店独自（あるいは、チェーン独自）に発行し、顧客に渡すようにしている。この会員カードは、会員マスタファイル検索時にキーとなる会員番号を磁気的に記憶した磁気カードや会員番号をＩＣチップに記憶したＩＣカード等であって、自店やチェーン店のみで通用する専用カードである。なお、顧客毎に付与され累積された累積ポイントは、例えばホストコンピュータにて会員実績ファイル内に会員番号毎に記憶されたり、あるいは、会員カード内に設けられたポイントファイル内に記憶されたりして管理される。
【０００４】
一方、近年では、前述したポイントサービスに加え、商品の買上げに関係なく顧客が来店するだけで所定のポイントを顧客に付与する来店ポイントサービスも行われている。通常、来店ポイントサービスは、来店した顧客が一日一回だけ受けられるサービスである。この来店ポイントサービスを行っている店舗には、ＰＯＳ端末とは別にカードリーダを備える来店ポイントサービス端末がＬＡＮ等の回線によりホストコンピュータに接続されて設置されている。この来店ポイントサービス端末は、顧客による操作を受付けて来店ポイントの付与や累積ポイントの確認等を実行可能な端末である。このような来店ポイントサービス端末の中には、抽選、例えばスロットゲーム等を実行して抽選結果に応じた来店ポイントを顧客に付与する端末も開発されている。
【０００５】
【発明が解決しようとする課題】
しかしながら、このような抽選による来店ポイントサービスにおいては、顧客に付与する来店ポイントは顧客の売上貢献度（売上貢献レベル）に依存せずに付与されてしまう。これでは、売上に貢献している優良顧客を優遇することができず、優良顧客の再度の来店を促すことが難しくなり、加えて固定客の確保が困難となる。
【０００６】
本発明の目的は、優良顧客の購買意欲の向上や固定客の確保等を実現することができるポイントサービスシステムを提供することである。
【０００７】
【課題を解決するための手段】
本発明は、顧客識別情報（例えば会員番号）が記録された会員カードに対して情報を読み書きし、キャッシャが売上処理を行うためのＰＯＳシステムに接続されるポイントサービスシステムであって、表示装置と入力装置と前記会員カードに対して情報の読み書きを実行するカードリーダライタとを備える情報提供装置と、顧客毎にポイントを顧客識別情報に対応付けて記憶するポイントファイルと、顧客毎の買上実績情報（例えば買上金額）を前記顧客識別情報に対応付けて記憶する会員実績ファイルと、前記リーダライタによって読み取られた前記会員カードに記録された前記顧客識別番号に基づいて、前記会員実績ファイルから当該顧客識別情報に対応する前記買上実績情報を検索し、検索した前記買上実績情報に基づいて前記特定顧客の売上貢献レベルを決定する売上貢献レベル決定手段と、前記売上貢献レベル決定手段により決定された前記特定顧客の売上貢献レベルに基づいて前記特定顧客に対する当選確率を決定する当選確率決定手段と、決定された当選確率に基づいて抽選を実行し、当選か落選かを判断し、当選の場合には落選の場合よりも多いポイント数を来店ポイントとして設定し、前記ポイントファイルに記憶されたポイントに累積加算する手段と、前記来店ポイントを前記情報提供装置の表示装置に表示する手段と、を備える。
【０００８】
したがって、来店した顧客の売上貢献レベルに応じて当選確率を変更することで、売上に貢献している優良顧客を優遇することが可能になり、優良顧客の購買意欲の向上や固定客の確保等が実現される。
【０００９】
【発明の実施の形態】
本発明の実施の一形態を図１ないし図１５に基づいて説明する。本実施の形態のポイントサービスシステム１は、会員として契約した各顧客に対してそれぞれ固有の識別番号である会員番号等が磁気ストライプに記憶された会員カードを発行し、この会員カードを所有する顧客に対してサービスポイント（顧客の来店に応じた来店ポイントや買上金額に応じたポイント）を与えるようにしたポイントサービスを実施する店舗で利用されるシステムである。
【００１０】
図１はポイントサービスシステム１を概略的に示すシステム構成図である。図１に示すように、ポイントサービスシステム１は、概略的には、商品販売データ処理装置である複数台のＰＯＳ（Point of Sales：販売時点管理）端末２とこれらのＰＯＳ端末２をＬＡＮ３によって接続して集中管理するストアコンピュータ４とで構成されるＰＯＳシステム５と、ストアコンピュータ４に対してＬＡＮ３によって接続されて顧客に対する種々の情報の提供を簡易な操作で可能にした情報提供装置６と、ストアコンピュータ４に対して専用回線７を介してオンラインで接続されたサーバコンピュータ（以下、会員サーバという）８とにより構成されている。
【００１１】
ＰＯＳ端末２は、精算場所に配設されてキャッシャが売上処理を行うための端末であり、図２に示すような構成とされている。ここで、図２はＰＯＳ端末２の構成を概略的に示す外観斜視図である。ＰＯＳ端末２には、本体９の上面側にキーボード１０が設けられており、本体９の下部側にドロワ１１が引出自在に設けられており、本体９の奥側に表示器１２が設けられている。さらに、ＰＯＳ端末２には、磁気カードである会員カードの挿入を受付けてその会員カードとの間でデータの授受を行うカードリーダライタ１３、商品コードを光学的に読み取るためのバーコードスキャナ１４等が接続されている。
【００１２】
このようなＰＯＳ端末２の電装系は図３に示すように構成されている。ここで、図３はＰＯＳ端末２の電装系の構成を示すブロック図である。ＰＯＳ端末２は、ＣＰＵ（Central Processing Unit）、制御プログラムを格納するＲＯＭ（Read Only Memory）、ＲＡＭ（Random Access Memory）等で構成されるコンピュータ構成のＰＯＳ制御部１５と、不揮発性ＲＯＭ等で構成されるメモリ部１６とを保有し、バス１７を介して接続された通信インタフェース１８から、ＬＡＮ３を介してストアコンピュータ４との間で相互にオンライン通信を実行し得るように構成されている（図１参照）。
【００１３】
また、ＰＯＳ制御部１５には、バス１７及びＩ／Ｏ機器制御部１９を介して、前述したキーボード１０、表示器１２、カードリーダライタ１３、バーコードスキャナ１４が接続されており、さらに、レシート／ジャーナルプリンタであるプリンタ２０が接続されている。このプリンタ２０は、本体９に内蔵され、売上処理に伴いレシート用紙及びジャーナル用紙への印字を行うプリンタである。
【００１４】
次に、ストアコンピュータ４について説明する。ストアコンピュータ４は、ＰＯＳシステム５全体の制御を受持ち、その電装系は、例えば、図４に示すような構成とされている。ここで、図４はストアコンピュータ４の電装系の構成を示すブロック図である。ストアコンピュータ４は、ＣＰＵ、ＲＯＭ、ＲＡＭ等で構成されるコンピュータ構成の制御部２１と、不揮発性ＲＯＭ等で構成されるメモリ部２２とを保有し、バス２３を介して接続された通信インタフェース２４ａから、ＬＡＮ３を介して複数台のＰＯＳ端末２との間で相互にオンライン通信を実行し得るように構成されている（図１参照）。さらに、バス２３を介して接続された通信インタフェース２４ｂから、専用回線７を介して会員サーバ８との間で相互にオンライン通信を実行し得るように構成されている（図１参照）。また、制御部２１にはバス２３及びＩ／Ｏ機器制御部２５を介して、キーボード２６、表示器２７、プリンタ２８及びハードディスクドライブ装置（ＨＤＤ）２９が接続されている。
【００１５】
ハードディスクドライブ装置（ＨＤＤ）２９には、制御部２１のＣＰＵを動作させる制御プログラムの他、商品マスタファイルＦ１、店舗売上ファイルＦ２等が格納されている。商品マスタファイルＦ１は商品コードに対応付けて商品名や単価を記憶するファイルであって、店舗売上ファイルＦ２は各ＰＯＳ端末２から送信される売上登録データを記憶するファイルである。
【００１６】
ここで、以上のようなＰＯＳ端末２とストアコンピュータ４とで構成されるＰＯＳシステム５の売上処理の際の動作について簡単に説明する。例えば商品に付された商品コードがＰＯＳ端末２のバーコードスキャナ１４によって読み取られると、ＰＯＳ端末２は読み取った商品コードをストアコンピュータ４に問合せる。そして、商品コードを問合せられたストアコンピュータ４側においては、ＰＯＳ端末２からの問合せにより商品マスタファイルＦ１を検索し、該当する商品コードに対応した商品名や単価等を読み出してＰＯＳ端末２へ送信する。ＰＯＳ端末２は、ストアコンピュータ４からの商品名や単価等を受信し、問合せした商品コード及び受信した商品名や単価等に基づいて部門別登録や表示器１２への表示、またプリンタ２０により印字出力を行い、さらに売上登録したデータをストアコンピュータ４へ送信する。そして、ＰＯＳ端末２から売上登録したデータを送信されたストアコンピュータ４側では、ＰＯＳ端末２からの売上登録データを店舗売上ファイルＦ２に累計する。このように店舗売上ファイルＦ２に累計された売上登録データは、所定のタイミングで会員サーバ８に送信される。
【００１７】
次いで、情報提供装置６について説明する。情報提供装置６は、来店ポイントサービス端末として機能し、ＰＯＳ端末２と同様にストアコンピュータ４を経由して会員サーバ８に接続されている（図１参照）。ここで、図５は情報提供装置６の構成を概略的に示す外観斜視図である。情報提供装置６は、ハウジング３０の上面に配置される液晶表示パネルである表示装置３１、この表示装置３１の表示面に重ねて配置される入力装置としてのタッチパネル３２、磁気カードである会員カードの挿入を受付けてその会員カードとの間でデータの授受を行うカードリーダライタ３３、割引券や景品引換券等を発行するための発行口３４等を備えている。
【００１８】
このような情報提供装置６の電装系は図６に示すように構成されている。ここで、図６は情報提供装置６の電装系の構成を示すブロック図である。情報提供装置６は、ＣＰＵ、制御プログラムを格納するＲＯＭ、ＲＡＭ等で構成されるコンピュータ構成の情報提供制御部３５と、不揮発性ＲＯＭ等で構成されるメモリ部３６とを保有し、バス３７を介して接続された通信インタフェース３８から、ＬＡＮ３を介してストアコンピュータ４との間で相互にオンライン通信を実行し得るように構成されている（図１参照）。そして、情報提供制御部３５は、ＣＰＵがＲＯＭの制御プログラムに従って動作することにより、後述する当選確率決定手段と当選確率特定手段とを実現する。
【００１９】
また、情報提供制御部３５には、バス３７及びＩ／Ｏ機器制御部３９を介して、前述した表示装置３１、タッチパネル３２、カードリーダライタ３３が接続され、さらに、プリンタ４０が接続されている。このプリンタ４０はハウジング３０に内蔵され、例えば割引券や景品引換券等を印刷し発行口３４から発行する。
【００２０】
続いて、会員サーバ８について説明する。会員サーバ８の電装系は、例えば、図７に示すような構成とされている。ここで、図７は会員サーバ８の電装系の構成を示すブロック図である。会員サーバ８は、ＣＰＵ、ＲＯＭ、ＲＡＭ等で構成されるコンピュータ構成のサーバ制御部４１と、不揮発性ＲＯＭ等で構成されるメモリ部４２とを保有し、バス４３を介して接続された通信インタフェース４４から、専用回線７を介してストアコンピュータ４との間で相互にオンライン通信を実行し得るように構成されている（図１参照）。また、サーバ制御部４１にはバス４３及びＩ／Ｏ機器制御部４５を介して、キーボード４６、表示器４７、プリンタ４８及びハードディスクドライブ装置（ＨＤＤ）４９が接続されている。サーバ制御部４１は、ＣＰＵがハードディスクドライブ装置（ＨＤＤ）４９の制御プログラムに従って動作することにより、後述する売上貢献レベル決定手段と売上貢献レベル特定手段を実現する。
【００２１】
ハードディスクドライブ装置（ＨＤＤ）４９には、サーバ制御部４１のＣＰＵを動作させる制御プログラムの他、チェーン売上ファイルＦ３、会員マスタファイルＦ４、会員実績ファイルＦ５、会員レベル閾値ファイルＦ６、会員レベルファイルＦ７、来店ポイント企画ファイルＦ８等が格納されている。
【００２２】
チェーン売上ファイルＦ３は、各店舗のストアコンピュータから送信される売上登録データを記憶するファイルである。
【００２３】
会員マスタファイルＦ４は、会員情報（顧客名称、性別、誕生日、電話番号等）を会員顧客毎に記憶するファイルである。ここで、図８は会員マスタファイルＦ４のデータ構成を模式的に示す説明図である。図８に示すように、会員情報は会員顧客毎に割当てられた会員番号に対応付けられて記憶される。この会員番号は顧客識別情報として機能するが、これに限るものではなく、例えば会員情報を顧客識別情報として用いるようにしても良い。なお、会員情報は、顧客名称、性別、誕生日、電話番号等に限るものではない。
【００２４】
会員実績ファイルＦ５は、ポイントファイルとして機能し、買上実績情報を会員顧客毎に記憶するファイルである。ここで、図９は会員実績ファイルＦ５のデータ構成を模式的に示す説明図である。図９に示すように、買上実績情報（買上金額、買上点数、累積ポイント、来店回数等）は会員番号に対応付けられて記憶される。買上実績情報は、チェーン売上ファイルＦ３等に基づいて所定のタイミングで累積更新される。なお、買上実績情報は、買上金額、買上点数、累積ポイント、来店回数等に限るものではない。
【００２５】
会員レベル閾値ファイルＦ６は、売上貢献レベルとして機能する会員レベルを決定するための閾値を記憶するファイルである。ここで、図１０は会員レベル閾値ファイルＦ６のデータ構成を模式的に示す説明図である。図１０に示すように、閾値は買上実績情報、例えば買上金額で設定され、会員レベルに対応付けられて記憶される。なお、会員レベルは５段階に限るものではない。
【００２６】
会員レベルファイルＦ７は、売上貢献レベルファイルとして機能し、会員レベル情報を会員顧客毎に記憶するファイルである。ここで、図１１は会員レベルファイルＦ７のデータ構成を模式的に示す説明図である。図１１に示すように、会員レベル情報（現在レベル、前回レベル）は、会員レベル閾値ファイルＦ６に基づいて後述する会員レベル設定処理によって設定され、会員番号に対応付けられて記憶される。
【００２７】
来店ポイント企画ファイルＦ８は、当選確率ファイルとして機能し、企画情報を企画毎に記憶するファイルである。ここで、図１２は来店ポイント企画ファイルＦ８のデータ構成を模式的に示す説明図である。図１２に示すように、企画情報（企画名称、企画開始日、企画終了日、会員レベルに応じて設定された当選確率、等賞に応じて設定された付与ポイント等）は、企画毎に割当てられた企画番号に対応付けられて記憶される。ここで、当選確率は、会員レベルの上昇に伴って高くなるように設定される。なお、等賞は６段階に限るものではなく、例えば順位立てられていれば良く、その名称の如何は問わない。
【００２８】
また、会員マスタファイルＦ４の会員情報、会員レベル閾値ファイルＦ６の閾値、来店ポイント企画ファイルＦ８の企画情報等は、例えば会員サーバ８のキーボード４６に対する操作者の操作によって予め設定されている。
【００２９】
ここで、会員サーバ８の会員レベル設定処理の際の動作について図１３を参照して簡単に説明する。図１３は会員サーバ８のサーバ制御部４１による会員レベル設定処理を示すフローチャートである。所定のタイミング、例えば会員実績ファイルＦ５の更新時に、会員レベル閾値ファイルＦ６に基づいて会員レベル設定処理が会員番号毎に実行される。
【００３０】
図１３に示すように、会員実績ファイルＦ５に記憶された買上金額Ａが５０，０００円以上であるか否か（ステップＳ１）、買上金額Ａが４０，０００円以上であるか否か（Ｓ２）、買上金額Ａが３０，０００円以上であるか否か（Ｓ３）、買上金額Ａが２０，０００円以上であるか否か（Ｓ４）を判断する。そして、買上金額Ａが５０，０００円以上であった場合には（Ｓ１のＹ）、会員レベルファイルＦ７の会員レベル情報である現在レベルを５に設定し（Ｓ５）、買上金額Ａが４０，０００円以上であった場合には（Ｓ２のＹ）、会員レベルファイルＦ７の会員レベル情報である現在レベルを４に設定し（Ｓ６）、買上金額Ａが３０，０００円以上であった場合には（Ｓ３のＹ）、会員レベルファイルＦ７の会員レベル情報である現在レベルを３に設定し（Ｓ７）、買上金額Ａが２０，０００円以上であった場合には（Ｓ４のＹ）、会員レベルファイルＦ７の会員レベル情報である現在レベルを２に設定し（Ｓ８）、買上金額Ａが２０，０００円より小さい場合には（Ｓ４のＮ）、会員レベルファイルＦ７の会員レベル情報である現在レベルを１に設定する（Ｓ９）。ここに、売上貢献レベル決定手段の一部の機能が実行される。
【００３１】
このような会員レベル設定処理が会員番号毎に実行され、会員レベル情報が会員番号に対応付けられて会員レベルファイルＦ７に記憶される。なお、本実施の形態においては、閾値として買上金額を用いたが、これに限るものではない。
【００３２】
次に、本実施の形態の来店ポイント処理について、情報提供装置６の情報提供制御部３５による来店ポイント処理を示す図１４のフローチャート、及び、会員サーバ８のサーバ制御部４１による来店ポイント処理を示す図１５のフローチャートを参照して説明する。なお、情報提供装置６は、例えば起動時にストアコンピュータ４を介して会員サーバ８から来店ポイント企画ファイルＦ８を取得してメモリ部３６に格納する。
【００３３】
情報提供装置６では、図１４に示すように、カードリーダライタ３３によるカードリード、すなわち会員カードからの会員番号の取得に待機する（Ｓ１０のＮ）。顧客により会員カードが情報提供装置６のカードリーダライタ３３に挿入されると、会員カードから会員番号を取得し（Ｓ１０のＹ）、その会員番号をキーとしてストアコンピュータ４を介して会員サーバ８側に累積ポイントや会員レベル等の情報問合せを行う（Ｓ１１）。なお、この問合せ情報には、来店ポイント付与フラグの情報も含まれる。来店ポイント付与フラグは、来店ポイントの付与を一日一回に管理するためのフラグであり、来店ポイントの付与があった場合に立てられ、例えば店舗の営業終了時や日付変更時にクリアされる。
【００３４】
この情報問合せを受けた会員サーバ８では、図１５に示すように、累積ポイントや会員レベル等の情報問合せであることを認識し（Ｓ３０のＹ）、問合せのあった会員番号に基づいて会員実績ファイルＦ５及び会員レベルファイルＦ７等を検索し、会員番号に対応する累積ポイントや会員レベル等の情報を特定して読み出す（Ｓ３１）。ここに、売上貢献レベル特定手段としての機能が実行され、売上貢献レベル決定手段としての機能の一部が実行される。その後、読み出した累積ポイント、会員レベル、来店ポイント付与フラグ等に係るデータを含む伝文をセットし（Ｓ３２）、その伝文を問合せのあった情報提供装置６に送信して応答する（Ｓ３３）。
【００３５】
累積ポイント及び会員レベル等の情報を問合せた情報提供装置６では、図１４に示すように、応答を受けた後、来店ポイント付与の有無、すなわち来店ポイント付与フラグの状態を判断し（Ｓ１２）、来店ポイント付与フラグが立っていると判断した場合には（Ｓ１２のＹ）、来店ポイントがすでに付与されているので、処理が終了する。
【００３６】
来店ポイント付与フラグが立っていないと判断した場合には（Ｓ１２のＮ）、会員サーバ８から送信された会員レベルに基づいて、情報提供装置６のメモリ部３６に格納された来店ポイント企画ファイルＦ８から当選確率を特定する（Ｓ１３）。ここに、当選確率特定手段としての機能が実行され、当選確率決定手段としての機能の一部が実行される。例えば、会員レベルがレベル５であって店舗の営業日が２００２／０７／０５であった場合、来店ポイント企画ファイルＦ８に基づいて、１００１（企画番号）の初夏１番（企画名称）におけるレベル５の８５％が当選確率として設定される。そして、設定された当選確率に基づいて当選乱数計算を行うことで抽選を実行し（Ｓ１４）、当選するか否かを判断する（Ｓ１５）。
【００３７】
当選した場合には（Ｓ１５のＹ）、１から５までの乱数を発生させて等賞振分計算を行うことで等賞振分（１〜５等賞）を実行し、これにより設定された等賞から情報提供装置６のメモリ部３６に格納された来店ポイント企画ファイルＦ８に基づいて、顧客に付与する来店ポイントを設定する（Ｓ１６）。例えば、等賞振分計算により設定された等賞が２等賞であって店舗の営業日が２００２／０７／０５であった場合、来店ポイント企画ファイルＦ８に基づいて、１００１（企画番号）の初夏１番（企画名称）における２等賞の付与ポイント３０が顧客に付与する来店ポイントとして設定される。
【００３８】
落選した場合には（Ｓ１５のＮ）、情報提供装置６のメモリ部３６に格納された来店ポイント企画ファイルＦ８に基づいて、６等賞（落選）の付与ポイントを顧客に付与する来店ポイントとして設定する（Ｓ１７）。例えば、店舗の営業日が２００２／０７／０５であった場合、来店ポイント企画ファイルＦ８に基づいて、１００１（企画番号）の初夏１番（企画名称）における６等賞の付与ポイント５が顧客に付与する来店ポイントとして設定される。
【００３９】
その後、ステップＳ１０で取得した会員番号をキーとして、ストアコンピュータ４を介して会員サーバ８側に累積ポイント更新の問合せを行う（Ｓ１８）。このとき、ステップＳ１６又はステップＳ１７で設定された顧客に付与する来店ポイントも会員サーバ８に送信される。
【００４０】
この累積ポイント更新の問合せを受けた会員サーバ８では、図１５に示すように、累積ポイント更新の問合せであることを認識し（Ｓ３４のＹ）、問合せのあった会員番号に基づいて会員実績ファイルＦ５を検索し、会員実績ファイルＦ５に来店ポイントを累積加算して会員実績ファイルＦ５を更新するとともに、更新された累積ポイントを読み出す（Ｓ３５）。その後、読み出した累積ポイント等に係るデータを含む伝文をセットし（Ｓ３６）、その伝文を問合せのあった情報提供装置６に送信して応答する（Ｓ３７）。
【００４１】
累積ポイント更新を問合せた情報提供装置６では、図１４に示すように、累積ポイント更新が正常に行われたか否かを判断し（Ｓ１９）、正常に累積ポイント更新が行われ、会員サーバ８からの応答を受けると（Ｓ１９のＹ）、ステップＳ１６又はステップＳ１７で設定された等賞に基づいて抽選ゲーム、例えばスロットゲームを起動し（Ｓ２０）、スロットゲーム終了後、付与した来店ポイントを表示装置３１に表示して（Ｓ２１）、処理が終了する。
【００４２】
ステップＳ１９において、正常に累積ポイント更新が行われなかったと判断した場合には（Ｓ１９のＮ）、表示装置３１にエラー画面を表示して（Ｓ２２）、操作者である顧客にカードリーダライタ３３への会員カードの挿入を促し、ステップＳ１０に戻り再びカードリーダライタ３３によるカードリードに待機する。
【００４３】
このように本実施の形態では、顧客毎の買上実績情報、例えば買上金額を会員番号に対応付けて記憶する会員実績ファイルＦ５を設け、問合せのあった顧客の会員番号に対応する買上金額を会員実績ファイルＦ５から検索し、検索した買上金額に基づいてその顧客の会員レベルを決定し（Ｓ３１：図１５参照）、決定した顧客の会員レベルに基づいてその顧客に対する当選確率を決定するようにしたことから（Ｓ１３：図１４参照）、来店した顧客の売上貢献レベルに応じて当選確率が変更され、売上に貢献している優良顧客を優遇することが可能になるので、優良顧客の購買意欲の向上や固定客の確保等を実現することができる。
【００４４】
また、本実施の形態では、売上貢献レベル決定手段は、会員実績ファイルＦ５に基づいて顧客毎に設定された売上貢献レベル、例えば会員レベルを顧客識別情報、例えば会員番号に対応付けて記憶する売上貢献レベルファイル、例えば会員レベルファイルＦ７と、特定顧客の会員番号に基づいて会員レベルファイルＦ７から特定顧客の会員レベルを特定する売上貢献レベル特定手段と、を備えることから、簡単に特定顧客の会員レベルを特定することができる。
【００４５】
また、本実施の形態では、当選確率決定手段は、顧客の会員レベル毎に会員レベルの上昇に伴って高く設定された当選確率を記憶する当選確率ファイル、例えば来店ポイント企画ファイルＦ８と、売上貢献レベル決定手段により決定された特定顧客の会員レベルに基づいて来店ポイント企画ファイルＦ８から特定顧客に対する当選確率を特定する当選確率特定手段と、を備えることから、簡単に特定顧客の当選確率を特定することができる。
【００４６】
なお、本実施の形態においては、会員レベルを会員レベルファイルＦ７に予め設定しているが、これに限るものではない。例えば、会員サーバ８では、会員レベルファイルＦ７を設けずに、図１５に示すステップＳ３１において、問合せのあった会員番号に基づいて会員実績ファイルＦ５及び会員レベル閾値ファイルＦ６から会員レベルを判断して特定するようにしても良い。また、情報提供装置６が、例えば起動時にストアコンピュータ４を介して会員サーバ８から会員レベル閾値ファイルＦ６を取得してメモリ部３６に格納し、会員サーバ８に問合せた会員番号に対応する買上金額を会員サーバ８の会員実績ファイルＦ５から取得し、取得した買上金額に基づいて、メモリ部３６に格納された会員レベル閾値ファイルＦ６から会員レベルを判断して特定するようにしても良い。
【００４７】
また、本実施の形態においては、当選確率を情報提供装置６における図１４に示すステップＳ１３で設定しているが、これに限るものではなく、例えば会員サーバ８で、情報提供装置６から問合せのあった会員番号や営業日等に基づいて、ハードディスクドライブ装置（ＨＤＤ）４９に格納された会員レベルファイルＦ７及び来店ポイント企画ファイルＦ８から当選確率を特定し、特定した当選確率を情報提供装置６に送信するようにして当選確率を設定しても良い。
【００４８】
また、本実施の形態においては、会員カードとして磁気カードを用いているが、これに限るものではなく、例えばＩＣメモリを有するＩＣカードを用いても良い。ＩＣカードには、例えばＣＰＵ（Central Processing Unit）や記憶部として機能するＥＥＰＲＯＭ（Electrically ＥＰＲＯＭ）等で構成されるＩＣメモリ（図示せず）が内蔵されており、ＥＥＰＲＯＭには会員番号を記憶する会員番号記憶エリアや各種データを書換自在に記憶するデータ記憶エリア等が形成されている。ただし、この場合には、カードリーダライタ１３，３３もＩＣカードに対応させる必要がある。
【００４９】
また、本実施の形態においては、会員実績ファイルＦ５をポイントファイルとして用いているが、これに限るものではなく、例えば新たにポイントファイルを会員カード内に設けても良い。
【００５０】
【発明の効果】
本発明によれば、来店した顧客の売上貢献レベルに応じて当選確率が変更され、売上に貢献している優良顧客を優遇することが可能になるので、優良顧客の購買意欲の向上や固定客の確保等を実現することができる。
【図面の簡単な説明】
【図１】本発明の実施の一形態のポイントサービスシステムを概略的に示すシステム構成図である。
【図２】ＰＯＳ端末の構成を概略的に示す外観斜視図である。
【図３】ＰＯＳ端末の電装系の構成を示すブロック図である。
【図４】ストアコンピュータの電装系の構成を示すブロック図である。
【図５】情報提供装置の構成を概略的に示す外観斜視図である。
【図６】情報提供装置の電装系の構成を示すブロック図である。
【図７】会員サーバの電装系の構成を示すブロック図である。
【図８】会員マスタファイルのデータ構成を模式的に示す説明図である。
【図９】会員実績ファイルのデータ構成を模式的に示す説明図である。
【図１０】会員レベル閾値ファイルのデータ構成を模式的に示す説明図である。
【図１１】会員レベルファイルのデータ構成を模式的に示す説明図である。
【図１２】来店ポイント企画ファイルのデータ構成を模式的に示す説明図である。
【図１３】会員サーバにおける会員レベル設定処理を示すフローチャートである。
【図１４】情報提供装置における来店ポイント処理を示すフローチャートである。
【図１５】会員サーバにおける来店ポイント処理を示すフローチャートである。
【符号の説明】
１…ポイントサービスシステム、Ｆ５…ポイントファイル（会員実績ファイル）、Ｆ７…売上貢献レベルファイル（会員レベルファイル）、Ｆ８…当選確率ファイル（来店ポイント企画ファイル）
【図１】
0003673511.tif 000002
【図２】
0003673511.tif 000003
【図３】
0003673511.tif 000004
【図４】
0003673511.tif 000005
【図５】
0003673511.tif 000006
【図６】
0003673511.tif 000007
【図７】
0003673511.tif 000008
【図８】
0003673511.tif 000009
【図９】
0003673511.tif 000010
【図１０】
0003673511.tif 000011
【図１１】
0003673511.tif 000012
【図１２】
0003673511.tif 000013
【図１３】
0003673511.tif 000014
【図１４】
0003673511.tif 000015
【図１５】
0003673511.tif 000016